(57)【要約】【課題】煩雑な手作業を必要とせず、かつ頭髪を痛めるおそれがなく、さらに低コストで美しい編み込みの髪型を円滑に作ることができる頭髪編み具を提供する。【解決手段】ベース部９と、ベース部９に設けられ、該ベース部９を、頭髪に沿って移動可能、かつ任意の位置に係止可能とするブラシ部８と、ベース部９に形成された突起部９５と、ベース部９の突起部９５を挟んだ位置にそれぞれ設けられ、頭髪の一部をまとめた毛束が挟み込まれて保持される保持空間１Ａ、２Ａをそれぞれ形成する第１の髪留め部１００および第２の髪留め部２００と、を備える頭髪編み具１である。【選択図】図１
2020000730.tif 000002
【特許請求の範囲】
【請求項１】
ベース部と、
前記ベース部に設けられ、該ベース部を、頭髪に沿って移動可能、かつ任意の位置に係止可能とする係止部と、
前記ベース部に形成された突起部と、
前記ベース部の前記突起部を挟んだ位置にそれぞれ設けられ、頭髪の一部をまとめた毛束が挟み込まれて保持される２つの髪留め部と、
を備えることを特徴とする頭髪編み具。
【請求項２】
ベース部と、
前記ベース部に設けられ、該ベース部を、頭髪に沿って移動可能、かつ任意の位置に係止可能とする係止部と、
前記ベース部に設けられ、頭髪の一部をまとめた毛束が挟み込まれて保持される髪留め部と、
を備えることを特徴とする頭髪編み具。
【請求項３】
前記髪留め部は、柔軟性を有する材料で形成された柔軟部材を有し、
該柔軟部材に、毛束を保持する毛束保持部と、該保持部から外部に連通し、該保持部に外部から毛束を差し入れるための切れ込みと、が形成されていることを特徴とする請求項１または２に記載の頭髪編み具。
【請求項４】
前記髪留め部は、毛束の滑りを抑える滑り抑制部を有することを特徴とする請求項１〜３のいずれかに記載の頭髪編み具。
【請求項５】
前記髪留め部は、
前記ベース部に形成された凹部と、
前記ベース部にヒンジ部を介して該ベース部に対し離接する方向に開閉可能に支持され、閉じた状態で前記凹部に対向する内面を有し、該内面と前記凹部との間に毛束の保持空間を形成するクリップ部と、
前記クリップ部を閉じる方向に付勢する付勢部と、
を備えることを特徴とする請求項１〜４のいずれかに記載の頭髪編み具。
【請求項６】
前記髪留め部は、前記保持空間に配設された柔軟性を有する柔軟部材と前記クリップ部との協働によって毛束が挟み込まれるように構成されていることを特徴とする請求項５に記載の頭髪編み具。
【請求項７】
前記柔軟部材は弾性変形可能なバンドで構成されており、該バンドと前記クリップ部とにより毛束が挟み込まれるように構成されていることを特徴とする請求項６に記載の頭髪編み具。
【請求項８】
２つの前記髪留め部を備え、該２つの髪留め部の前記各クリップ部の間に前記突起部が設けられ、
前記クリップ部は、回動端側の先端縁を含む先端部を有するとともに、該クリップ部が閉じた状態で該先端縁が前記突起部に当接するように前記ベース部に回動可能に支持されており、
前記先端部は、前記突起部に近づくにつれて前記ベース部に向かって湾曲するように形成された外面を有することを特徴とする請求項５に記載の頭髪編み具。
【請求項９】
前記クリップ部は、手指で押さえることにより該クリップ部の開閉動作を行うことができるようにした開閉操作面を有し、該開閉操作面には滑り止め部が設けられていることを特徴とする請求項５〜８のいずれかに記載の頭髪編み具。
【請求項１０】
前記係止部は、頭部に沿うように湾曲した形状に形成されるとともに頭部の所定面積を覆って接触する裏面を有することを特徴とする請求項１〜９のいずれかに記載の頭髪編み具。
【請求項１１】
前記係止部はブラシであることを特徴とする請求項１０に記載の頭髪編み具。
【発明の詳細な説明】
【技術分野】
【０００１】
本発明は、髪型をアレンジする際に使用する頭髪編み具に関する。
【背景技術】
【０００２】
主に女性においては、自身の手で頭髪を様々な髪型にアレンジしている。例えば三つ編みに代表される編み込みという髪型は、複数に分けた毛束を交互にクロスさせながら編み込んで作られる。ところが、このように手だけで編み込みを作る場合、途中で手を離すことができず、また、左右の手で毛束を持ち替えながら、かつ、編み込みの状態を手で保持しながら行うため、煩雑であるとともに、美しく完成させることが難しいという不満があった。そこで、編み込みの髪型を作る際の補助具が提案されている（例えば、特許文献１、２参照）。
【０００３】
特許文献１には、２枚のプラスチック板を重ね、中央部で縦方向を軸として前後に開閉自在に連結して２重のバタフライ状に形成し、重ねた２枚のプラスチック板の両端を着脱自在の凸部と凹部による嵌合構造とし、２枚のプラスチック板の片側に毛束を挟持してから上記嵌合構造で固定するようにした頭髪編み器が開示されている。
【０００４】
また、特許文献２には、毛束をその外側から束ね止めするための束ね部を有し、該束ね部は柔軟性を有する材料で形成され、かつ、束ね部を閉じて束ね止め状態を維持するための手段が設けられており、束ね部が束ね止め状態にあるときに、束ね部を毛束に沿って移動させることができるようにした編み具が開示されている。
【先行技術文献】
【特許文献】
【０００５】
【特許文献１】特開２００５−２７９０８９号公報
【特許文献２】特開２０１３−１６９４３５号公報
【発明の概要】
【発明が解決しようとする課題】
【０００６】
上記特許文献１に開示されている頭髪編み器では、２枚のプラスチック板で毛束を挟持することにより毛束が扁平な状態になるので、当該頭髪編み器を外すと毛束が自然の状態に戻ろうとする変化が生じ、このため、美しい編み込みを作りにくいものであった。また、毛束から当該頭髪編み器が落下することを防ぐために、プラスチック板により比較的大きな圧力をかけて毛束を挟持する必要があるので、プラスチック板を毛束に沿って移動させると頭髪を痛めるおそれがある。また、特許文献２に開示されている編み具では、編み込みの毛束の数に応じた複数個の編み具を用意しなければならないため、編み込みの作業が煩雑になったりコストがかかったりすることが懸念される。
【０００７】
本発明は上記事情に鑑みてなされたものであり、煩雑な手作業を必要とせず、かつ頭髪を痛めるおそれがなく、さらに低コストで美しい編み込みの髪型を円滑に作ることができる頭髪編み具を提供することを目的としている。
【課題を解決するための手段】
【０００８】
本発明に係る頭髪編み具は、（１）ベース部と、前記ベース部に設けられ、該ベース部を、頭髪に沿って移動可能、かつ任意の位置に係止可能とする係止部と、前記ベース部に形成された突起部と、前記ベース部の前記突起部を挟んだ位置にそれぞれ設けられ、頭髪の一部をまとめた毛束が挟み込まれて保持される２つの髪留め部と、を備えることを特徴とする。
【０００９】
この構成により、本発明に係る頭髪編み具は、係止部によりベース部を頭髪に係止させた状態から、例えば、２つの髪留め部に、頭髪の一部を取ってまとめた２つの毛束をクロスさせてそれぞれ挟み込む編み込み作業を、当該頭髪編み具を頭髪先端側に移動させながら繰り返し行うことにより、複数の左右の毛束がクロスして編み込まれたフィッシュボーンという髪型を作ることができる。
本発明に係る頭髪編み具は、上述した構成により、当該頭髪編み具を係止部により頭髪に移動可能に係止させることができ、また、頭髪に係止させた当該頭髪編み具の各髪留め部に、毛束をそれぞれ挟み込んで保持させることができる。このため、毛束から手を離して編み込みを行うことができるとともに、毛束をクロスさせる際に頭髪が混ざり合うことなく一定ボリュームの毛束をきれいにまとまった状態に保持することができる。また、突起部に触ることにより、その両側に、髪留め部がそれぞれ存在することが手探りでも容易にわかるため、編み込みを容易に行うことができる。したがって本発明に係る頭髪編み具は、煩雑な手作業を必要とせず、美しい編み込みの髪型を容易に作ることができる。また、係止部により頭髪に移動可能に係止されるため、頭髪を痛めるおそれがない。
また、本発明に係る頭髪編み具は、上述した構成により、１つの当該頭髪編み具で編み込みを行うことができるため、当該頭髪編み具を複数必要とせず、よって低コストで編み込みを行うことができる。
【００１０】
本発明に係る頭髪編み具は、（２）ベース部と、前記ベース部に設けられ、該ベース部を、頭髪に沿って移動可能、かつ任意の位置に係止可能とする係止部と、前記ベース部に設けられ、頭髪の一部をまとめた毛束が挟み込まれて保持される髪留め部と、を備えることを特徴とする。
【００１１】
この構成により、本発明に係る頭髪編み具は、係止部によりベース部を頭髪に係止させ、毛束を髪留め部に挟み込んで保持しながら髪型のアレンジを行うという動作を、当該頭髪編み具を頭髪先端側に移動させながら繰り返し行うことにより、所望の髪型にアレンジする際の補助具として用いることができる。
本発明に係る頭髪編み具は、上述した構成により、当該頭髪編み具を係止部により頭髪に移動可能に係止させることができ、また、頭髪に係止させた当該頭髪編み具の髪留め部に毛束を保持させることができる。このため、毛束から手を離して編み込み等の髪型にアレンジすることができるとともに、毛束をクロスさせる際などにおいて頭髪が混ざり合うことなく一定ボリュームの毛束をきれいにまとまった状態に保持することができる。したがって本発明に係る頭髪編み具は、煩雑な手作業を必要とせず、美しい編み込み等の髪型を容易に作ることができる。また、係止部により頭髪に移動可能に係止されるため、頭髪を痛めるおそれがない。
【００１２】
本発明に係る頭髪編み具は、（３）前記髪留め部は、柔軟性を有する材料で形成された柔軟部材を有し、該柔軟部材に、毛束を保持する毛束保持部と、該保持部から外部に連通し、該保持部に外部から毛束を差し入れるための切れ込みと、が形成されていることを特徴とする。
【００１３】
この構成により、本発明に係る頭髪編み具は、毛束を、切れ込みを通して保持部に対し容易に出し入れすることができるとともに、毛束は柔軟部材に接触するため頭髪を痛めるおそれがない。
【００１４】
本発明に係る頭髪編み具は、（４）前記髪留め部は、毛束の滑りを抑える滑り抑制部を有することを特徴とする。
【００１５】
この構成により、本発明に係る頭髪編み具は、髪留め部に保持された毛束の滑りが抑えられるので、毛束から手を離しても毛束にずれが生じにくく、美しい編み込み等の髪型を容易に作ることができる。
【００１６】
本発明に係る頭髪編み具は、（５）前記髪留め部は、前記ベース部に形成された凹部と、前記ベース部にヒンジ部を介して該ベース部に対し離接する方向に開閉可能に支持され、閉じた状態で前記凹部に対向する内面を有し、該内面と前記凹部との間に毛束の保持空間を形成するクリップ部と、前記クリップ部を閉じる方向に付勢する付勢部と、を備えることを特徴とする。
【００１７】
この構成により、本発明に係る頭髪編み具は、クリップ部を開いて保持空間に毛束を入れ、付勢部によりクリップ部を閉じさせることにより、毛束を容易に髪留め部に挟み込んで保持させることができる。このため、毛束から手を離して編み込みを行うことができるとともに、毛束をクロスさせる際に頭髪が混ざり合うことなく一定ボリュームの毛束をきれいにまとまった状態に保持することができる。その結果、煩雑な手作業を必要とせず、美しい編み込みの髪型を容易に作ることができる。また、本発明に係る頭髪編み具は、髪留め部に形成される保持空間に毛束が保持されるため、毛束を自然な状態で保持することができるとともに、頭髪を痛めるおそれがない。
【００１８】
本発明に係る頭髪編み具は、（６）前記髪留め部は、前記保持空間に配設された柔軟性を有する柔軟部材と前記クリップ部との協働によって毛束が挟み込まれるように構成されていることを特徴とする。
【００１９】
この構成により、本発明に係る頭髪編み具は、髪留め部に挟み込まれた毛束の動きを柔軟部材により抑えることができるため、毛束を自然な状態で確実かつ柔軟に保持することができるとともに、頭髪が痛むことを防ぐことができる。また、毛束の量が多くても柔軟部材が変形することにより毛束を確実に保持することができる。
【００２０】
本発明に係る頭髪編み具は、（７）前記柔軟部材は弾性変形可能なバンドで構成されており、該バンドと前記クリップ部とにより毛束が挟み込まれるように構成されていることを特徴とする。
【００２１】
この構成により、本発明に係る頭髪編み具は、髪留め部に挟み込まれた毛束が動くことをバンドで抑えることができ、毛束を自然な状態で確実かつ柔軟に保持することができるとともに、頭髪が痛むことを防ぐことができる。また、毛束の量が多くてもバンドが弾性変形することにより毛束を確実に保持することができる。
【００２２】
本発明に係る頭髪編み具は、（８）２つの前記髪留め部を備え、該２つの髪留め部の前記各クリップ部の間に前記突起部が設けられ、前記クリップ部は、回動端側の先端縁を含む先端部を有するとともに、該クリップ部が閉じた状態で該先端縁が前記突起部に当接するように前記ベース部に回動可能に支持されており、前記先端部は、前記突起部に近づくにつれて前記ベース部に向かって湾曲するように形成された外面を有することを特徴とする。
【００２３】
この構成により、本発明に係る頭髪編み具は、毛束をクリップ部の先端部の湾曲する外面に沿わせながら髪留め部の保持空間に入れることにより、毛束を円滑に各保持空間に入れることができ、作業性をより向上させることができる。
【００２４】
本発明に係る頭髪編み具は、（９）前記クリップ部は、手指で押さえることにより該クリップ部の開閉動作を行うことができるようにした開閉操作面を有し、該開閉操作面には滑り止め部が設けられていることを特徴とする。
【００２５】
この構成により、本発明に係る頭髪編み具は、開閉操作面を押さえてクリップ部を開閉させる際に、滑り止め部によって滑り止めがなされ、クリップ部の開閉動作を確実に行うことができ、クリップ部の操作性の向上を図ることができる。
【００２６】
本発明に係る頭髪編み具は、（１０）前記係止部は、頭部に沿うように湾曲した形状に形成されるとともに頭部の所定面積を覆って接触する裏面を有することを特徴とする。
【００２７】
この構成により、本発明に係る頭髪編み具は、係止部の裏面を頭髪に当てて使用することにより動きにくく安定した状態となり、このため、頭髪のアレンジを行いやすい。
【００２８】
本発明に係る頭髪編み具は、（１１）前記係止部はブラシで構成されていることを特徴とする。
【００２９】
この構成により、本発明に係る頭髪編み具は、当該頭髪編み具を頭髪先端側に移動させる際、頭髪を痛めることなく円滑に移動させることができる。
【発明の効果】
【００３０】
本発明によれば、煩雑な手作業を必要とせず、かつ頭髪を痛めるおそれがなく、さらに低コストで美しい編み込みの髪型を円滑に作ることができる頭髪編み具を提供することができる。
【図面の簡単な説明】
【００３１】
【図１】本発明の第１の実施形態に係る頭髪編み具の斜視図であって、第１および第２のクリップ部が閉じた状態を示している。
【図２】本発明の第１の実施形態に係る頭髪編み具の斜視図であって、第１および第２のクリップ部が開いた状態を示している。
【図３】本発明の第１の実施形態に係る頭髪編み具の正面図であって、第１および第２のクリップ部が閉じた状態を示している。
【図４】本発明の第１の実施形態に係る頭髪編み具の正面図であって、第１および第２のクリップ部が開いた状態を示している。
【図５】本発明の第１の実施形態に係る頭髪編み具の側面図である。
【図６】本発明の第１の実施形態に係る頭髪編み具の裏面図である。
【図７】本発明の第１の実施形態に係る頭髪編み具の使用方法の手順を示す図である。
【図８】本発明の第２の実施形態に係る頭髪編み具の正面図であって、第１および第２のクリップ部が開いた状態を示している。
【図９】本発明の第３の実施形態に係る頭髪編み具の正面図であって、第１および第２のクリップ部が閉じた状態を示している。
【図１０】本発明の第４の実施形態に係る頭髪編み具の正面図であって、第１および第２のクリップ部が閉じた状態を示している。
【図１１】本発明の第５の実施形態に係る頭髪編み具の正面図である。
【図１２】本発明の第６の実施形態に係る頭髪編み具の正面図であって、クリップ部が閉じた状態を示している。
【発明を実施するための形態】
【００３２】
（第１の実施形態）
以下、本発明の第１の実施形態について、図面を参照しつつ説明する。
まず、構成について説明する。
【００３３】
図１〜図６は第１の実施形態に係る頭髪編み具１を示している。本実施形態の頭髪編み具１は、ベース部９と、ベース部９に設けられ、ベース部９を、頭髪に沿って移動可能、かつ任意の位置に係止可能とするブラシ部８と、ベース部９に形成された突起部９５と、ベース部９の突起部９５を挟んだ位置にそれぞれ設けられ、頭髪の一部をまとめた毛束が挟み込まれて保持される略円筒状の第１の保持空間１Ａおよび第２の保持空間２Ａをそれぞれ形成する第１の髪留め部１００および第２の髪留め部２００と、を有する。ここで、ブラシ部８は、本発明における係止部を構成する。
【００３４】
図１に示すように、ベース部９は、ブラシ部８の表面８ａに一体に成形されている。図６に示すように、ブラシ部８は楕円板状であって、当該頭髪編み具１を使用する頭部に沿うように長手方向に湾曲した形状に形成されている。ブラシ部８においては、凹側の面が頭髪に接触する裏面８ｂを構成し、凸側の面が表面８ａを構成する。本実施形態に係る頭髪編み具１は、編み込みの髪型を作る頭髪の部分に対し、その部分の左側にブラシ部８の長手方向一端側を配し、その部分の右側にブラシ部８の他端側を配した状態で、裏面８ｂを頭髪に接触させて使用される。
【００３５】
ブラシ部８は、頭髪の所定面積を覆って接触する大きさを有し、例えばその長手方向の寸法は、編み込みのためにまとめた２つの毛束を合わせた幅よりも十分に大きな寸法とされる。以下の説明において、図１の矢印Ｗ方向で示すブラシ部８の長手方向を「幅方向」といい、幅方向に直交する図１の矢印Ｄ方向を「奥行き方向」という。
【００３６】
図３および図６に示すように、ブラシ部８は、その裏面８ｂに複数の櫛８０ａを有する。これら櫛８０ａの先端には、幅方向に沿って延び、その両端が裏面８ｂ側に湾曲した歯部８０ｂが形成されている。図６に示すように、複数の櫛８０ａは、ブラシ部８の裏面８ｂの、幅方向に延びる両方の縁部８ｃに沿って等間隔をおいて形成されている。本実施形態に係る頭髪編み具１は、ブラシ部８を概ね水平な状態として裏面８ｂを頭部に当てることで使用される。頭髪編み具１は、頭部に当てられたブラシ部８の櫛８０ａが頭髪内に入り込むことで頭髪に係止されるとともに、頭髪が歯部と裏面８ｂとの間に入り込むことで、頭髪に沿って移動可能に構成されている。
【００３７】
ベース部９は、ブラシ部８の表面８ａに、当該ブラシ部８の幅方向一端部から他端部にわたって形成されている。ベース部９は、幅方向一端部に第１の端部９０１を有し、幅方向他端部に第２の端部９０２を有する。
【００３８】
突起部９５は、ベース部９の表面９ａの幅方向中央部から、表面９ａに略垂直に突出するように形成されている。突起部９５はベース部９と一体に成形されている。図３に示すように、突起部９５は、奥行き方向から見た場合において、先端に向かうにしたがって幅が狭くなる三角錐状の形状を有している。また、突起部９５の突端は、手指を傷つけることがないように湾曲面に形成されている。
【００３９】
図３および図４に示すように、本実施形態に係る頭髪編み具１は、突起部９５を対称中心として、図３および図４において左右、すなわち幅方向で対称に構成されており、第１の髪留め部１００と第２の髪留め部２００とは同様の構成を有している。
【００４０】
以下、突起部９５を挟んで設けられた第１の髪留め部１００および第２の髪留め部２００を説明する。ここで、図３および図４において、突起部９５の左側が第１の髪留め部１００とし、突起部９５の右側が第２の髪留め部２００として説明する。前述したベース部９における第１の端部９０１は第１の髪留め部１００側に設けられ、第２の端部９０２は第２の髪留め部２００側に設けられている。
【００４１】
第１の髪留め部１００は、ベース部９に形成された第１の凹部９１と、ベース部９にヒンジ軸９６を介して頭髪に対し離接する方向に開閉可能に支持され、閉じた状態で第１の凹部９１に対向する内面３２ｂを有し、該内面３２ｂと第１の凹部９１との間に略円筒状の第１の保持空間１Ａを形成する第１のクリップ部１０と、第１のクリップ部１０を閉じる方向に付勢するコイルばね４０と、を有する。第１の凹部９１は、ベース部９の表面９ａに形成された湾曲面によって形成されている。ヒンジ軸９６は、本発明のヒンジ部を構成する。
【００４２】
また、第２の髪留め部２００は、ベース部９に形成された第２の凹部９２と、ベース部９にヒンジ軸９６を介して頭髪に対し離接する方向に開閉可能に支持され、閉じた状態で第２の凹部９２に対向する内面３２ｂを有し、該内面３２ｂと第２の凹部９２との間に略円筒状の第２の保持空間２Ａを形成する第２のクリップ部２０と、第２のクリップ部２０を閉じる方向に付勢するコイルばね４０と、を有する。第２の凹部９２は、ベース部９の表面９ａに形成された湾曲面によって形成されている。ここで、コイルばね４０は、本発明における付勢部に構成する。なお、本発明の付勢部としてはコイルばね４０に限定されず、板ばね等の他の種類のばねで構成可能することができる。
【００４３】
図１および図３は、それぞれ第１のクリップ部１０および第２のクリップ部２０が閉じた状態の頭髪編み具１を示し、図２および図４は、それぞれ第１のクリップ部１０および第２のクリップ部２０が開いた状態の頭髪編み具１を示している。
【００４４】
以下、第１の髪留め部１００、すなわち図３および図４において突起部９５の左側の構成を説明する。
【００４５】
ベース部９の表面９ａには、第１の凸部９１０が形成されている。第１の凸部９１０は、突起部９５と第１の端部９０１との間であって、やや第１の端部９０１寄りの位置に形成されている。第１の凹部９１は、突起部９５と第１の凸部９１０との間にわたり表面が凹状となるように形成されている。第１の凸部９１０は、奥行き方向を軸方向とするヒンジ軸９６を有する。
【００４６】
図４に示すように、第１のクリップ部１０は、ベース部９にヒンジ軸９６を介して矢印Ａ−Ｂで示す方向に回動可能に支持されている。第１のクリップ部１０は、ヒンジ軸９６を軸として回動する先端縁３２ｃを含む内側の板部３２を有する。図４の矢印Ａ方向は内側の板部３２が頭髪から離れる方向であり、矢印Ｂ方向は内側の板部３２が頭髪に接近する方向である。第１のクリップ部１０は、閉じた状態で先端縁３２ｃが突起部９５に当接するようにヒンジ軸９６に回動可能に支持されている。ここで、内側の板部３２は、本発明におけるクリップ部の先端部を構成する。また、第１のクリップ部１０は、後述するように手指で押さえることにより第１のクリップ部１０の開閉動作を行うことができるようにした開閉操作面３３ｂを有する。この開閉操作面３３ｂには、滑り止め部３３ｃが設けられている。
【００４７】
第１のクリップ部１０は、ヒンジ軸９６に回動可能に支持された基部３１と、基部３１から突起部９５側に延びる上述した内側の板部３２と、基部３１から第１の端部９０１側に延びる外側の板部３３と、を有する。内側の板部３２は上述したように先端縁３２ｃを有し、また、外側の板部３３は先端縁３３ｅを有する。
【００４８】
図５に示すように、第１のクリップ部１０の基部３１は、二股状に分かれた２つの基部片３１ａを有する。各基部片３１ａには軸孔３１ｂが形成され、この軸孔３１ｂにヒンジ軸９６が嵌合されている。
【００４９】
図３に示すように、内側の板部３２は、基部３１側から先端縁３２ｃに向かって図中上側が凸となるように湾曲した形状を有している。内側の板部３２は、突起部９５に近づくにつれベース部９に向かって湾曲するように形成された表面側の外面３２ａを有し、これにより内側の板部３２は、先端縁３２ｃに向かうにしたがって厚さが小さくなるように奥行き方向から見た場合においてテーパ状に形成されている。また、内側の板部３２は、上述したように第１の凹部９１に対向する内面３２ｂを有する。図３に示すように、本実施形態に係る第１の髪留め部１００は、第１のクリップ部１０が閉じた状態で、内側の板部３２の内面３２ｂと第１の凹部９１との間に、略円筒状の第１の保持空間１Ａが形成されるように構成されている。
【００５０】
図３に示すように、第１のクリップ部１０の外側の板部３３は、基部３１側から先端縁３３ｅに向かって図中上側が凹となるように湾曲した形状を有している。外側の板部３３の凹状に湾曲する表面側の外面３３ａの先端縁３３ｅ側には開閉操作面３３ｂが形成されており、この開閉操作面３３ｂに、滑り止め部３３ｃが設けられている。図４に示すように、滑り止め部３３ｃは、先端縁３３ｅに沿って弧状に形成された複数の凸条３３ｄにより構成されている。
【００５１】
前述したように、第１の実施形態に係る第１の髪留め部１００は、第１のクリップ部１０を閉じる方向に付勢するコイルばね４０を有する。図３および図４に示すように、当該コイルばね４０は、コイル部４０ａと２つの腕部４０ｂ、４０ｃとを備えたねじりコイルばねにより構成されている。
【００５２】
図５に示すように、ベース部９の第１の凸部９１０内には、コイルばね収納部９１１が形成されており、このコイルばね収納部９１１に、コイルばね４０のコイル部４０ａが収納されている。そして、コイルばね４０の一方の腕部４０ｂがベース部９の第１の端部９０１近傍に係合され、他方の腕部４０ｃが第１のクリップ部１０の外側の板部３３の先端縁３３ｅ近傍に係合されている。第１のクリップ部１０は、コイルばね４０によって図４の矢印Ｂ方向に回動するように付勢されることにより、内側の板部３２の先端縁３２ｃが突起部９５の側面に当接して閉じた状態に保持されるようになっている。
【００５３】
第１の実施形態に係る頭髪編み具１においては、第１のクリップ部１０が閉じた状態で突起部９５が第１のクリップ部１０から所定高さ突出するように構成されている。第１のクリップ部１０から突起部９５が突出する量は、手探りの状態でも手指で突起部９５を触ることにより該突起部９５の存在がわかり、かつ、突起部９５の両側に第１のクリップ部１０および第２のクリップ部２０を容易に探り当てることができるようになっている。
【００５４】
図２および図４に示すように、本実施形態に係る第１の髪留め部１００は、突起部９５と第１の凸部９１０との間に概ね幅方向に延びるようにして架け渡された帯状の第１のバンド５１を有する。第１のバンド５１は、本発明の滑り抑制部および柔軟部材を構成する。図２に示すように、第１のバンド５１は、その一端部が突起部９５の側面に形成された係合部９３に係合され、その他端部が第１の凸部９１０の先端部に形成された係合部９４に係合されている。なお、図２では第１の髪留め部１００側の係合部９４は図示されていないが、図２の第２の髪留め部２００側に図示する係合部９４が第１の髪留め部１００側に設けられている。また、図２では第２の髪留め部２００側の係合部９３は図示されていないが、図２の第１の髪留め部１００側に図示する係合部９３が第２の髪留め部２００側に設けられている。
【００５５】
第１のバンド５１は、第１の凹部９１と第１のクリップ部１０の内側の板部３２との間であって内側の板部３２に近接した位置に配置されている。第１のバンド５１は、弾性変形可能で、頭髪に対しある程度の摩擦が生じる材料で形成されている。その材料としては、シリコーンゴム等が好適とされる。
【００５６】
第１のクリップ部１０は、外側の板部３３の開閉操作面３３ｂをコイルばね４０の付勢力に抗してベース部９側に押すことにより開かせることができるようになっており、また、押す力を解除することでコイルばね４０の付勢力により閉じるようになっている。本実施形態に係る第１の髪留め部１００においては、第１のクリップ部１０を開いて第１のクリップ部１０の内側に毛束を入れ、第１のクリップ部１０を閉じることにより、第１の保持空間１Ａ内において第１のバンド５１と第１のクリップ部１０の内側の板部３２との間に毛束が挟み込まれるようになっている。
【００５７】
次に、第１の実施形態に係る第２の髪留め部２００、すなわち図３および図４で突起部９５の右側の構成について説明するが、前述したように本実施形態に係る頭髪編み具１は、図３および図４において突起部９５を対称中心として左右対称に構成されており、第１の髪留め部１００と第２の髪留め部２００とは同様の構成を有している。したがって、第２の髪留め部２００については、同様の構成要素には同様の符号を付し、それらを簡略に説明するか、あるいは説明を省略する。
【００５８】
図１に示すように、第２の髪留め部２００側におけるベース部９の表面９ａには、ヒンジ軸９６を備えた第２の凸部９２０が形成されており、ベース部９における突起部９５と第２の凸部９２０との間に、第２の凹部９２が形成されている。第２の髪留め部２００を構成する第２のクリップ部２０は、ベース部９の第２の凸部９２０にヒンジ軸９６を介して図４に示す矢印Ａ−Ｂで示す方向に回動可能に支持されている。
【００５９】
第２のクリップ部２０は、第１のクリップ部１０と同様に、基部３１と、内側の板部３２と、外側の板部３３と、を有する。基部３１は、第２の凸部９２０のヒンジ軸９６に回動可能に支持されている。内側の板部３２は、第２の凹部９２に対向する内面３２ｂと、突起部９５に当接する先端縁３２ｃと、突起部９５に近づくにつれベース部９に向かって湾曲するように形成された外面３２ａと、を有する。外側の板部３３は、外面３３ａと、先端縁３３ｅと、を有する。また、外側の板部３３は開閉操作面３３ｂを有し、開閉操作面３３ｂには、複数の凸条３３ｄにより構成された滑り止め部３３ｃが設けられている。
【００６０】
図３に示すように、第１の実施形態に係る第２の髪留め部２００においては、第２のクリップ部２０が閉じた状態で、内側の板部３２の内面３２ｂと第２の凹部９２との間に、略円筒状の第２の保持空間２Ａが形成されるようになっている。また、第２のクリップ部２０の内側の板部３２の先端縁３２ｃが、突起部９５の側面に当接するようになっている。
【００６１】
また、第１の実施形態に係る第２の髪留め部２００は、第１の髪留め部１００と同様に、第２のクリップ部２０を閉じる方向に付勢するコイルばね４０を有する。また、第２の髪留め部２００は、第１の髪留め部１００の第１のバンド５１と同様の第２のバンド５２を有する。
【００６２】
第２のクリップ部２０は、外側の板部３３の開閉操作面３３ｂをコイルばね４０の付勢力に抗してベース部９側に押すことにより開かせることができるようになっており、また、押す力を解除することでコイルばね４０の付勢力により閉じるようになっている。本実施形態に係る第２の髪留め部２００においては、第２のクリップ部２０を開いて第２のクリップ部２０の内側に毛束を入れ、第２のクリップ部２０を閉じることにより、第２の保持空間２Ａ内において第２のバンド５２と第２のクリップ部２０の内側の板部３２との間に毛束が挟み込まれるようになっている。
【００６３】
（作用）
次に、作用について説明する。
図７の（１）〜（６）は、第１の実施形態に係る頭髪編み具１の使用手順の一例を示している。本実施形態に係る頭髪編み具１を使用するにあたっては、まず、図７（１）に示すように、後頭部のトップの頭髪を適当量取り、その頭髪の下方に、幅方向を概ね水平とした頭髪編み具１を係止する。頭髪編み具１は、ブラシ部８の裏面８ｂを頭髪の根元に押し付け、左右に若干揺らすことにより頭髪に係止することができる。ここで、頭髪編み具１においては、頭髪に対し第１の髪留め部１００を左側に配し、第２の髪留め部２００を右側に配するものとする。
【００６４】
次いで図７（２）に示すように、（１）で取ったトップの頭髪を２等分して右側の毛束Ａと左側の毛束Ｂに分ける。そして、左側の第１のクリップ部１０を開き、右側の毛束Ａを第１のクリップ部の内側に入れて第１のクリップ部１０を閉じ、第１のクリップ部１０により毛束Ａで挟み込んで保持する。続いて、第２のクリップ部２０を開き、左側の毛束Ｂを毛束Ａの上にクロスさせて第２のクリップ部２０の内側に入れ第２のクリップ部２０を閉じ、第２のクリップ部２０により毛束Ｂを挟み込んで保持する。
【００６５】
次いで図７（３）〜（５）に示すように、毛束Ａの下側の毛束Ｃを取り出し、その毛束Ｃを毛束Ｂの上にクロスさせて第１のクリップ部１０で挟み込んで保持し、次いで、毛束Ｂの下側の毛束Ｄを取り出し、その毛束Ｄを毛束Ｃの上にクロスさせて第２のクリップ部２０で挟み込んで保持する。
【００６６】
以上の編み込みの作業を、当該頭髪編み具１を頭髪の先端側に少しずつ下げながら繰り返し行うことにより、図７（６）に示すように、左右の２つの毛束が幾重にもクロスして編み込まれたフィッシュボーンという髪型を作ることができる。この後は、所望の編み込み長さを得た後、頭髪編み具１を頭髪から取り外し、ヘアゴム等で編み込みの下端を結び、髪型を保持してアレンジを完成させる。
【００６７】
以上のようにして使用される本実施形態に係る頭髪編み具１は、ブラシ部８により頭髪に移動可能に係止させることができ、また、頭髪に係止させた当該頭髪編み具１の第１の髪留め部１００および第２の髪留め部２００に、毛束をそれぞれ挟み込んで保持させることができる。このため、毛束から手を離して編み込みを行うことができるとともに、毛束をクロスさせる際に頭髪が混ざり合うことなく一定ボリュームの毛束をきれいにまとまった状態に保持することができる。また、突起部９５に触ることにより、その両側に、第１の髪留め部１００の第１のクリップ部１０および第２の髪留め部２００の第２のクリップ部２０がそれぞれ存在することが手探りでも容易にわかるため、編み込みを容易に行うことができる。この結果、本実施形態に係る頭髪編み具１においては、煩雑な手作業を必要とせず、美しい編み込みの髪型を容易に作ることができる。
【００６８】
また、本実施形態に係る頭髪編み具１は、１つの当該頭髪編み具１で編み込みを行うことができるため、当該頭髪編み具１を複数必要とせず、よって低コストで編み込みを行うことができる。
【００６９】
また、本実施形態に係る頭髪編み具１は、第１のクリップ部１０と第１のバンド５１との間、および第２のクリップ部２０と第２のバンド５２との間に、毛束が挟み込まれるように構成されている。この構成により、本実施形態に係る頭髪編み具１は、第１の髪留め部１００および第２の髪留め部２００に挟み込まれた毛束の滑りを各バンド５１、５２で抑えることができ、毛束を断面略円形状の自然な状態で確実かつ柔軟に保持することができるとともに、頭髪が痛むことを防ぐことができる。また、毛束の量が多くても各バンド５１、５２が弾性変形することにより毛束を確実に保持することができる。
【００７０】
また、本実施形態においては、第１のクリップ部１０および第２のクリップ部２０の各内側の板部３２が突起部９５に近づくにつれてベース部９に向かって湾曲するように形成された外面３２ａを有するため、毛束をその外面３２ａに沿わせながら各クリップ部１０、２０の内側に入れることができる。すなわち当該外面３２ａは、毛束を円滑に各保持空間１Ａ、２Ａに送り込むことができる送り込み部を構成している。このため、毛束を円滑に各保持空間１Ａ、２Ａに入れることができ、作業性をより向上させることができる。
【００７１】
また、本実施形態においては、第１のクリップ部１０および第２のクリップ部２０の各外側の板部３３の各開閉操作面３３ｂに滑り止め部３３ｃがそれぞれ設けられているので、各クリップ部１０、２０を開閉させる際に滑り止め部３３ｃによって滑り止めがなされ、このため、各クリップ部１０、２０の開閉動作を確実に行うことができ、開閉の操作性を向上させることができる。
【００７２】
また、本実施形態に係る頭髪編み具１のブラシ部８は、頭部に沿うように湾曲した形状に形成されるとともに頭髪の所定面積を覆って接触する裏面８ｂを有するので、当該頭髪編み具１は、使用する際に動きにくく安定した状態となり、このため頭髪の編み込みを行いやすい。
【００７３】
また、本実施形態に係る本発明に係る頭髪編み具１においては、ブラシ部８で頭髪に係止されるため、当該頭髪編み具１を頭髪先端側に移動させる際、頭髪を痛めることなく円滑に移動させることができる。
【００７４】
次に、図８〜図１２により、第２〜第６の実施形態について説明する。以下に説明するこれら実施形態は、上述の第１の実施形態に対する一部構成の変更等であり、したがって、以下の説明では上述の第１の実施形態と同一の構成要素には同一の符号を付し、上述の第１の実施形態との相違点のみを説明する。
【００７５】
図８および図９に示す第２および第３の実施形態は、第１の髪留め部１００および第２の髪留め部２００の各保持空間１Ａ、２Ａに配設された柔軟性を有するスポンジと各クリップ部１０、２０との協働によって毛束が挟み込まれるように構成されている。
【００７６】
（第２の実施形態）
図８に示す第２の実施形態においては、各髪留め部１００、２００をそれぞれ構成する第１のクリップ部１０および第２のクリップ部２０の各内面３２ｂに、略半月状のスポンジ５３がそれぞれ設けられ、一方、第１の凹部９１および第２の凹部９２の底面に、略半月状のスポンジ５４がそれぞれ設けられている。スポンジ５３、５４は、本発明の滑り抑制部および柔軟部材を構成する。これらスポンジ５３、５４は、各クリップ部１０、２０、およびベース部９の各凹部９１、９２に、それぞれ接着剤による接着等の手段で設けることができる。
【００７７】
図８に示す第２の実施形態は、各クリップ部１０、２０を閉じると、スポンジ５３、５４の互いに対向する直線状部分が当接するようになっており、各クリップ部１０、２０を開いてスポンジ５３、５４の間に毛束を入れ、各クリップ部１０、２０をそれぞれ閉じることにより、毛束は圧縮したスポンジ５３、５４に弾性的に挟まれて各髪留め部１００、２００に保持されるようになっている。
【００７８】
この構成により、図８に示す第２の実施形態は、毛束が各髪留め部１００、２００に柔軟に挟み込まれて保持されるため、毛束を自然な状態で保持することができるとともに、頭髪を痛めるおそれがない。また、スポンジ５３、５４により毛束の滑りが抑えられるので、毛束から手を離しても毛束にずれが生じにくく、美しい編み込み等の髪型を容易に作ることができる。
【００７９】
（第３の実施形態）
図９に示す第３の実施形態においては、各髪留め部１００、２００の各保持空間１Ａ、２Ａに、円形状のスポンジ５５がそれぞれ配設され、各クリップ部１０、２０が閉じると、各保持空間１Ａ、２Ａがそれぞれスポンジ５５で埋まるように構成されている。スポンジ５５は、本発明の滑り抑制部および柔軟部材を構成する。スポンジ５５は、ベース部９の各凹部９１、９２の底面に、接着剤による接着等の手段で設けることができる。
【００８０】
図９に示す第３の実施形態は、各クリップ部１０、２０を閉じると、各クリップ部１０、２０の内面３２ｂが各スポンジ５５に当接するようになっており、各クリップ部１０、２０を開いて各クリップ部１０、２０と各スポンジ５５の間に毛束を入れ、各クリップ部１０、２０を閉じることにより、毛束は圧縮した各スポンジ５５と各クリップ部１０、２０とに挟まれて各髪留め部１００、２００に保持されるようになっている。
【００８１】
この構成により、図９に示す第３の実施形態は、毛束が髪留め部１００、２００に柔軟に挟み込まれて保持されるため、毛束を自然な状態で保持することができるとともに、頭髪を痛めるおそれがない。また、スポンジにより毛束の滑りが抑えられるので、毛束から手を離しても毛束にずれが生じにくく、美しい編み込み等の髪型を容易に作ることができる。
【００８２】
上述した第２および第３の実施形態の各スポンジ５３、５４、５５は、ポリウレタンフォーム等からなるものであるが、本発明の柔軟部材としてはこのようなスポンジに限定されず、柔軟性を有する他の発泡樹脂材料やゴム等の適宜な材料を用いることができる。
【００８３】
（第４の実施形態）
上述の第１の実施形態における第１のクリップ部１０および第２のクリップ部２０は、それぞれ凸部９１０、９２０にヒンジ軸９６を介して回動可能に設けられた構成であるが、図１０に示す第４の実施形態の第１のクリップ部１０および第２のクリップ部２０は、ベース部９に一体に成形されており、なおかつヒンジ軸９６の代わりとしてばねヒンジ部９７を介してベース部９に回動可能に設けられている。ばねヒンジ部９７は、本発明のヒンジ部および付勢部を構成するものであり、それぞれ各凸部９１０、９２０の根元の幅方向外側の部分に一体に形成されている。
【００８４】
ばねヒンジ部９７は、例えばプラスチック等の材料自体の弾性によって各クリップ部１０、２０を図１０において矢印Ｂで示す閉じる方向に付勢するように構成されている。第４の実施形態では、各クリップ部１０、２０をそれぞれ図１０で矢印Ａ方向に回動させると、各クリップ部１０、２０は、ばねヒンジ部９７がそれぞれ弾性変形して撓むことによりばねヒンジ部９７を中心に回動して開くようになっている。そしてその開く力を解除すると、ばねヒンジ部９７に弾性復帰が生じ、これにより各クリップ部１０、２０はＢ方向に回動して閉じるようになっている。
【００８５】
第４の実施形態では、各クリップ部１０、２０を開いてその内側に毛束を入れ、各クリップ部１０、２０をそれぞれ閉じることにより、第１のクリップ部１０と第１のバンド５１の間、および第２のクリップ部２０と第２のバンド５２の間に、それぞれ毛束を挟み込んで保持することができる。
【００８６】
第４の実施形態に係る頭髪編み具１によれば、ベース部９に対して各クリップ部１０、２０を回動可能に支持するヒンジ部の構成が単純となり、また、ベース部９と各クリップ部１０、２０が一体成形されているため、部品点数の低減およびこれに伴うコストの低減を図ることができる。
【００８７】
（第５の実施形態）
図１１に示す第５の実施形態における第１の髪留め部１００および第２の髪留め部２００は、それぞれ上述の第１のクリップ部１０および第２のクリップ部２０を備えてはおらず、ポリウレタンフォーム等の柔軟性を有する材料で形成された第１のスポンジ７１および第２のスポンジ７２をそれぞれ有する。第１のスポンジ７１には、毛束を保持するための孔７１１と、この孔７１１から外部に連通し、孔７１１に外部から毛束を差し入れるための切れ込み７１２とが形成されている。第２のスポンジ７２には、毛束を保持するための孔７２１と、孔７２１から外部に連通し、孔７２１に外部から毛束を差し入れるための切れ込み７２２とが形成されている。各スポンジ７１、７２は、それぞれ本発明における柔軟部材および滑り抑制部を構成する。また、孔７１１、７２１は、それぞれ本発明における毛束保持部を構成する。
【００８８】
第１のスポンジ７１は、第１の凹部９１に嵌合され、突起部９５と第１の凸部９１０間の空間を埋めるように設けられている。第２のスポンジ７２は、第２の凹部９２に嵌合され、突起部９５と第２の凸部９２０間の空間を埋めるように設けられている。各スポンジ７１、７２は、ベース部９の各凹部９１、９２の底面に、接着剤による接着等の手段で設けることができる。
【００８９】
第１のスポンジ７１には、奥行き方向に貫通する円筒状の孔７１１が形成されているとともに、この孔７１１に毛束を差し入れるための切れ込み７１２が形成されている。孔７１１は第１のスポンジ７１の底部中央に形成されている。切れ込み７１２は、図１１において孔７１１から突起部９５近傍のスポンジ７１の上面にわたって形成されている。第２のスポンジ７２も同様構成であって、その底部中央に孔７２１が形成されているとともに、この孔７２１から突起部９５近傍のスポンジ７２の上面にわたって切れ込み７２２が形成されている。各スポンジ７１、７２の各孔７１１、７２１の大きさは任意であるが、スポンジ７１、７２の弾性によって毛束が確実に保持され得る程度の大きさとされる。
【００９０】
各切れ込み７１２、７２２は、突起部９５の側面に沿うように各孔７１１、７２１から突起部９５に向かって斜めに延びている。したがって、第１の髪留め部１００においては、毛束を突起部９５の側面に当ててスポンジ７１側に滑らせると、その延長上に形成されている切れ込み７１２に円滑に入れることができ、第２の髪留め部２００においては、毛束を突起部９５の側面に当ててスポンジ７２側に滑らせると、その延長上に形成されている切れ込み７２２に円滑に入れることができるようになっている。
【００９１】
第５の実施形態に係る頭髪編み具１においては、第１の髪留め部１００および第２の髪留め部２００は、それぞれ柔軟性を有するスポンジ７１、７２をそれぞれ有し、毛束を切れ込み７１２、７２２にそれぞれ通して孔７１１、７２１に保持することができる。さらに、上述のように突起部９５を利用してスポンジ７１、７２内に毛束を円滑に入れることができる。このため、毛束を容易に保持することができるとともに、頭髪を痛めるおそれがない。
【００９２】
（第６の実施形態）図１２
図１２に示す第６の実施形態の頭髪編み具１は、前述の第１の実施形態の第２の髪留め部２００を削除した構成であって、ベース部９およびブラシ部８と、１つの第１の髪留め部１００とを有する。第６の実施形態の頭髪編み具１は、ベース部９と、ベース部９に設けられ、該ベース部９を、頭髪に沿って移動可能、かつ任意の位置に係止可能とするブラシ部８と、ベース部９に設けられ、頭髪の一部をまとめた毛束が挟み込まれて保持される１つの第１の髪留め部１００とを備える。
【００９３】
図１２に示すように、第６の実施形態においては、第１の髪留め部１００を構成する第１のクリップ部１０は第１の実施形態の第１の髪留め部と同様の構成である。第６の実施形態のベース部９は、１つの第１の髪留め部１００の幅に対応して第１の実施形態のものより短く形成されている。また、ブラシ部８の構成および寸法は第１の実施形態のブラシ部８と同じである。
【００９４】
第６の実施形態の頭髪編み具１は、ブラシ部８により当該頭髪編み具１を頭髪に係止させ、毛束を第１のクリップ部１０に挟み込んで保持しながら髪型のアレンジを行うという動作を、頭髪編み具１を頭髪先端側に移動させながら繰り返し行うことにより、所望の髪型にアレンジする際の補助具として用いることができる。
【００９５】
第６の実施形態の頭髪編み具１の使用方法としては、例えば次のようにして図７に示したようなフィッシュボーンの髪型を作ることができる。すなわち、トップの頭髪の下方に第１の髪留め部１００を左側に配し、トップの頭髪を左右に２等分し、左手で右側の毛束（図７で毛束Ａ）を左側にクロスさせて第１のクリップ部１０で保持し、左側の毛束（図７で毛束Ｂ）を右手で突起部９５の右側にクロスさせ、突起部９５の側面に押し当て保持する。次いで、右側の毛束の下側の毛束（図７で毛束Ｃ）を取り出し、その毛束Ｃを左手で左側にクロスさせて第１のクリップ部１０で保持し、次いで、左側の毛束の下側の毛束（図７で毛束Ｄ）を取り出し、その毛束を右手で右側にクロスさせ、突起部９５の側面に押し当て保持する。以上の編み込みの作業を、当該頭髪編み具１を頭髪の先端側に少しずつ下げながら繰り返し行うことにより、左右の２つの毛束が幾重にもクロスして編み込まれたフィッシュボーンという髪型を作ることができる。
【００９６】
第６の実施形態の頭髪編み具１は、突起部９５により手探りでも毛束を左右に容易に分けることができるとともに、第１のクリップ部１０で保持しない側の毛束を突起部９５に押し当てて毛束をそこに保持することができる。なお、第６の実施形態の頭髪編み具１は、上述のように１つでフィッシュボーン等の髪型にアレンジするための補助具として用いることができ、また、２つあるいはそれ以上の数を用いて複数の毛束をまとめながら編み込み等の髪型を作る際の補助具として用いることができる。
【産業上の利用可能性】
【００９７】
本発明は、煩雑な手作業を必要とせず、かつ頭髪を痛めるおそれがなく、さらに低コストで美しい編み込みの髪型を円滑に作ることができる頭髪編み具として有用である。
【符号の説明】
【００９８】
１  頭髪編み具
１Ａ  第１の保持空間
２Ａ  第２の保持空間
８  ブラシ部（係止部）
８ｂ  裏面
９  ベース部
１０  第１のクリップ部
２０  第２のクリップ部
３１  基部
３２  内側の板部（先端部）
３２ａ  外面
３２ｂ  内面
３２ｃ  先端縁
３３  外側の板部
３３ｂ  開閉操作面
３３ｃ  滑り止め部
４０  コイルばね（付勢部）
５１  第１のバンド（柔軟部材、滑り抑制部）
５２  第２のバンド（柔軟部材、滑り抑制部）
５３  スポンジ（柔軟部材、滑り抑制部）
５４  スポンジ（柔軟部材、滑り抑制部）
５５  スポンジ（柔軟部材、滑り抑制部）
７１、７２  スポンジ（柔軟部材）
９１  第１の凹部
９２  第２の凹部
９５  突起部
９６  ヒンジ軸（ヒンジ部）
９７  ばねヒンジ部（ヒンジ部）
１００  第１の髪留め部
２００  第２の髪留め部
７１１、７１２  孔（毛束保持部）
７１２、７２２  切れ込み
Ａ、Ｂ、Ｃ、Ｄ  毛束
【図１】
2020000730.tif 000003
【図２】
2020000730.tif 000004
【図３】
2020000730.tif 000005
【図４】
2020000730.tif 000006
【図５】
2020000730.tif 000007
【図６】
2020000730.tif 000008
【図７】
2020000730.tif 000009
【図８】
2020000730.tif 000010
【図９】
2020000730.tif 000011
【図１０】
2020000730.tif 000012
【図１１】
2020000730.tif 000013
【図１２】
2020000730.tif 000014